(57)【要約】【課題】容量が少ない記録媒体を使用してより多くの音楽又は映像を楽しむことができるＡＶ再生システム、ＡＶ装置及びＡＶ再生方法を提供する。【解決手段】サーバー３０は、音楽データベース３８から読み出した音楽データの一部のみをデータ書き込み部３２を介して記録媒体２０に書き込む。この記録媒体２０を装着した音楽再生装置１０は、記録媒体２０から音楽データを読み出すとともに、インターネットを介してサーバー３０に通信接続し、不足分の音楽データを要求する。サーバー３０は、音楽再生装置１０から送られてくるＩＤコード及びパスワードが予め登録されているものと一致する場合はログオンを許可し、不足分の音楽データを音楽再生装置１０に送信する。音楽再生装置１０は、記録媒体２０から読み出した音楽データとサーバー３０から送られてきた音楽データとを合成しで欠落のない音楽データとし、音楽を再生する。【選択図】図１
2005064777.tif 000002
【特許請求の範囲】
【請求項１】
複数の音楽又は映像データを記録したデータベースを備えたサーバーと、
音楽又は映像データの一部のみを記録した記録媒体を備え、前記サーバーに通信接続し不足分のデータを取得して音楽又は映像を再生するＡＶ再生装置と
を有することを特徴とするＡＶ再生システム。
【請求項２】
前記サーバーにより、前記記録媒体に前記音楽又は映像データの一部を記録することを特徴とする請求項１に記載のＡＶ再生システム。
【請求項３】
前記記録媒体には、前記音楽又は映像データの最初の部分が欠落のない状態で記録されていることを特徴とする請求項１に記載のＡＶ再生システム。
【請求項４】
前記ＡＶ再生装置は、前記サーバーに予め登録したＩＤコードを使って前記サーバーにログインすることを特徴とする請求項１に記載のＡＶ再生システム。
【請求項５】
前記ＡＶ再生装置は、不足分のデータ量を前記サーバーに通知し、
前記サーバーは前記ＡＶ再生装置から通知された不足分のデータ量を基に不足分のデータを送信するか否かを判定することを特徴とする請求項１に記載のＡＶ再生システム。
【請求項６】
音楽又は映像データの一部のみを記録した記録媒体と、
前記記録媒体から音楽又は映像データを読み出すデータ読み出し部と、
前記記録媒体から読み出した音楽又は映像データに不足分があるか否かを判定し、不足分がある場合は不足分要求信号を出力する差分データ計算部と、
サーバーに通信接続して前記差分データ計算部から出力された前記不足分要求信号を前記サーバーに伝達する通信制御部と、
前記サーバーから送られてきた不足分のデータを一時的に保存するデータバッファと、
前記記録媒体から読み出した音楽又は映像データと前記データバッファに保存されたデータとを合成して欠落のない音楽又は映像データを出力するデータ合成部と、
前記データ合成部から出力されたデータを信号処理して音楽又は映像信号を出力するデータ処理部と
を有することを特徴とするＡＶ装置。
【請求項７】
複数の音楽又は映像データを記録したデータベースと、
分割パターンを管理する分割パターン管理部と、
記録媒体を着脱自在に装着するデータ書き込み部と、
前記データベースから音楽又は映像データを読み出し、前記分割パターンに応じて前記音楽又は映像データを分割して前記データ書き込み部を介し前記記録媒体に前記音楽又は映像データの一部のみを書き込む主制御部と
を有することを特徴とするＡＶ装置。
【請求項８】
前記分割パターン管理部には、１種類の分割パターンのみが記憶されていることを特徴とする請求項７に記載のＡＶ装置。
【請求項９】
前記分割パターン管理部は、
音楽又は映像毎に異なる分割パターンを発生する分割パターン発生部と、
音楽又は映像毎に分割パターンを記憶する分割パターン記憶部とにより構成されていることを特徴とする請求項７に記載のＡＶ装置。
【請求項１０】
複数の音楽又は映像データを記録したデータベースと、
分割パターンを管理する分割パターン管理部と、
外部装置と通信接続する通信制御部と、
前記通信制御部を介して前記外部装置から不足データ要求信号を受信すると前記データベースから音楽又は映像データを読み出し、前記分割パターンに応じて前記音楽又は映像データを分割して、前記通信制御部を介して前記外部装置に前記音楽又は映像データの一部のみを送信する主制御部と
を有することを特徴とするＡＶ装置。
【請求項１１】
前記主制御部は、前記通信制御部を介して前記外部装置から送られてくる不足分のデータ量と、分割パターン管理部に記憶されている前記分割パターンにより計算される不足分のデータ量とが一致したときのみ、前記外部装置に前記音楽又は映像データの一部を送信することを特徴とする請求項１０に記載のＡＶ装置。
【請求項１２】
記録媒体に音楽又は映像データの一部を記録しておき、前記記録媒体から前記音楽又は映像データを読み出すとともに、前記音楽又は映像データの不足分を通信によりサーバーから取得して欠落のない音楽又は映像データとし、音楽又は映像を再生することを特徴とするＡＶ再生方法。
【請求項１３】
音楽又は映像データの一部のみを記録した記録媒体であって、
通信装置を備え、前記通信装置を介して不足分のデータを取得するＡＶ再生装置に装着されることを特徴とする記録媒体。
【発明の詳細な説明】
【技術分野】
【０００１】
本発明は、メモリースティックやＳＤメモリーカード等の比較的容量が小さい記録媒体を使用したＡＶ（音楽（Audio ）／映像（Video ））再生システム、ＡＶ装置及びＡＶ再生方法に関し、特に音楽データ又は映像データの一部をサーバーから転送するＡＶ再生システム、ＡＶ装置及びＡＶ再生方法に関する。
【背景技術】
【０００２】
近年、インターネットなどからダウンロードした音楽データや、音楽ＣＤからリッピングした音楽データをメモリースティックやＳＤメモリーカード等の記録媒体に記録する音楽再生装置が普及しており、屋外でも好みの音楽を気軽に楽しむことができるようになった。また、メモリースティックやＳＤメモリーカード等に映像データを記録して屋外で楽しむことができるようにした映像再生装置も開発されている。
【特許文献１】特開２００３−１２３３８６号公報
【発明の開示】
【発明が解決しようとする課題】
【０００３】
しかしながら、本願発明者等は、上述した従来のＡＶ装置には以下に示す問題点があると考える。すなわち、記録容量が小さい記録媒体は、安価であるものの記録できる情報が少ない。例えば、記録容量が３２ＭＢ（メガバイト）〜６４ＭＢの記録媒体では、ＭＰ３（MPEG Audio Layer-3）等の方式で圧縮された音楽データを６〜１２曲分程度しか記録することができない。
【０００４】
特開２００３−１２３３８６号公報には、記録媒体の容量に応じてデータ圧縮率（圧縮方法）を変化させて、所望の楽曲全てを記録媒体に記録する音楽再生装置が記載されている。しかし、音楽又は映像を楽しむためにはある程度以上の音質又は画質を維持することが必要であり、圧縮率を過度に大きくすることは好ましくない。
【０００５】
また、デジタルの音楽データ又は映像データはコピーしても音質又は画質の劣化がないので、著作権の観点から問題が発生することもある。このため、著作権を侵害するおそれがないＡＶ装置が要望される。
【０００６】
以上から、本発明の目的は、容量が少ない記録媒体を使用してより多くの音楽又は映像を楽しむことができるＡＶ再生システム、ＡＶ装置及びＡＶ再生方法を提供することである。
【０００７】
また、本発明の他の目的は、音楽データ及び映像データの不正な利用を抑制できるＡＶ再生システム、ＡＶ装置及びＡＶ再生方法を提供することである。
【課題を解決するための手段】
【０００８】
本発明のＡＶ再生システムは、複数の音楽又は映像データを記録したデータベースを備えたサーバーと、音楽又は映像データの一部のみを記録した記録媒体を備え、前記サーバーに通信接続し不足分のデータを取得して音楽又は映像を再生するＡＶ再生装置とを有することを特徴とする。
【０００９】
本発明のＡＶ装置は、音楽又は映像データの一部のみを記録した記録媒体と、前記記録媒体から音楽又は映像データを読み出すデータ読み出し部と、前記記録媒体から読み出した音楽又は映像データに不足分があるか否かを判定し、不足分がある場合は不足分要求信号を出力する差分データ計算部と、サーバーに通信接続して前記差分データ計算部から出力された前記不足分要求信号を前記サーバーに伝達する通信制御部と、前記サーバーから送られてきた不足分のデータを一時的に保存するデータバッファと、前記記録媒体から読み出した音楽又は映像データと前記データバッファに保存されたデータとを合成して欠落のない音楽又は映像データを出力するデータ合成部と、前記データ合成部から出力されたデータを信号処理して音楽又は映像信号を出力するデータ処理部とを有することを特徴とする。
【００１０】
本発明の他のＡＶ装置は、複数の音楽又は映像データを記録したデータベースと、分割パターンを管理する分割パターン管理部と、記録媒体を着脱自在に装着するデータ書き込み部と、前記データベースから音楽又は映像データを読み出し、前記分割パターンに応じて前記音楽又は映像データを分割して前記データ書き込み部を介し前記記録媒体に前記音楽又は映像データの一部のみを書き込む主制御部とを有することを特徴とする。
【００１１】
本発明の更に他のＡＶ装置は、複数の音楽又は映像データを記録したデータベースと、分割パターンを管理する分割パターン管理部と、外部装置と通信接続する通信制御部と、前記通信制御部を介して前記外部装置から不足データ要求信号を受信すると前記データベースから音楽又は映像データを読み出し、前記分割パターンに応じて前記音楽又は映像データを分割して、前記通信制御部を介して前記外部装置に前記音楽又は映像データの一部のみを送信する主制御部とを有することを特徴とする。
【００１２】
本発明のＡＶ再生方法は、記録媒体に音楽又は映像データの一部を記録しておき、前記記録媒体から前記音楽又は映像データを読み出すとともに、前記音楽又は映像データの不足分を通信によりサーバーから取得して欠落のない音楽又は映像データとし、音楽又は映像を再生することを特徴とする。
【００１３】
本発明の記録媒体は、音楽又は映像データの一部のみを記録した記録媒体であって、通信装置を備え、前記通信装置を介して不足分のデータを取得するＡＶ再生装置に装着されることを特徴とする。
【００１４】
本発明のＡＶ再生システムにおいては、記録媒体に音楽又は映像データの一部のみを記録する。従って、この記録媒体に記録されている音楽又は映像データのみでは音楽又は映像を再生することができない。
【００１５】
音楽又は映像を再生するためには、不足分のデータをサーバーから取得する必要がある。このとき、サーバーにログインするためにはＩＤ（Identification：識別）コードが必要であり、予めサーバーに登録されていないユーザに対してはログインが許可されない。これにより、音楽又は映像データの不正な使用が防止される。
【００１６】
また、記録媒体には、音楽又は映像データの一部のみしか記録しないので、記録容量が小さい記録媒体に多くの音楽又は映像データを記憶することができる。
【００１７】
音楽又は映像を再生するＡＶ再生装置は、例えば、音楽又は映像データの一部のみを記録した記録媒体と、前記記録媒体から音楽又は映像データを読み出すデータ読み出し部と、前記記録媒体から読み出した音楽又は映像データに不足分があるか否かを判定し、不足分がある場合は不足分要求信号を出力する差分データ計算部と、サーバーに通信接続して前記差分データ計算部から出力された前記不足分要求信号を前記サーバーに伝達する通信制御部と、前記サーバーから送られてきた不足分のデータを一時的に保存するデータバッファと、前記記録媒体から読み出した音楽又は映像データと前記データバッファに保存されたデータとを合成して欠落のない音楽又は映像データを出力するデータ合成部と、前記データ合成部から出力されたデータを信号処理して音楽又は映像信号を出力するデータ処理部とにより構成される。
【００１８】
記録媒体に音楽又は映像データを記録するＡＶ装置は、例えば、複数の音楽又は映像データを記録したデータベースと、分割パターンを管理する分割パターン管理部と、記録媒体を着脱自在に装着するデータ書き込み部と、前記データベースから音楽又は映像データを読み出し、前記分割パターンに応じて前記音楽又は映像データを分割して前記データ書き込み部を介し前記記録媒体に前記音楽又は映像データの一部のみを書き込む主制御部とにより構成される。
【００１９】
ＡＶ再生装置に不足分のデータを送信するＡＶ装置は、例えば、複数の音楽又は映像データを記録したデータベースと、分割パターンを管理する分割パターン管理部と、外部装置と通信接続する通信制御部と、前記通信制御部を介して前記外部装置から不足データ要求信号を受信すると前記データベースから音楽又は映像データを読み出し、前記分割パターンに応じて前記音楽又は映像データを分割して、前記通信制御部を介して前記外部装置に前記音楽又は映像データの一部のみを送信する主制御部とにより構成される。
【発明を実施するための最良の形態】
【００２０】
以下、本発明の実施形態について、添付の図面を参照して説明する。
【００２１】
（第１の実施形態）
図１は、本発明の第１の実施形態に係るＡＶ再生システムを示す模式図である。ここでは、ＡＶコンテンツが音楽の場合、すなわち本発明を音楽再生システムに適用した場合について説明する。
【００２２】
本実施形態の音楽再生システムは、例えば車両に搭載される音楽再生装置１０と、音楽データベース３８を備えたサーバー（ホームサーバー）３０とにより構成されている。サーバー３０はインターネットに接続されており、音楽再生装置１０は携帯電話４１を介してインターネットに接続できるようになっている。また、サーバー３０にはメモリースティック又はＳＤメモリーカード等の着脱自在な記録媒体２０に対し音楽データの書き込みを行うデータ書き込み部３２が設けられており、音楽再生装置１０には記録媒体２０から音楽データの読み出しを行うデータ読み出し部１２が設けられている。
【００２３】
サーバー３０の音楽データベース３８には、例えばＭＰ３（MPEG Audio Layer-3）等の圧縮方式で圧縮された音楽データが数百〜数千曲分収録されている。ユーザは、サーバー３０のデータ書き込み部３２を使用して、これらのうちから所望の楽曲の音楽データを記録媒体２０に書き込む。但し、記録媒体２０には音楽データの一部しか書き込まれず、記録媒体２０に書き込まれた音楽データだけでは音楽を再生することはできない。記録媒体２０に書き込まれる音楽データについては後述する。
【００２４】
音楽データが書き込まれた記録媒体２０を音楽再生装置１０のデータ読み出し部１２に装着して再生ボタンを押すと、音楽再生装置１０は音楽の再生を開始するとともに、携帯電話４１を介してインターネットに接続し、サーバー３０にアクセスして不足分の音楽データの送信を要求する。サーバー３０は、音楽再生装置１０から不足分の音楽データが要求されると、音楽データベース３８から音楽データを読み出して、不足分の音楽データを抽出しインターネットを介して音楽再生装置１０に送信する。但し、サーバー３０から不足分の音楽データを取得するためには、予めユーザ（又は音楽再生装置１０）に固有のＩＤコード及びパスワードをサーバー３０に登録しておくことが必要である。
【００２５】
音楽再生装置１０では、記録媒体２０に記録されている音楽データと、サーバー３０から送られてきた不足分の音楽データとを結合することにより欠落のない完全な音楽データとし、その音楽データを信号処理して音楽の再生を継続する。
【００２６】
図２は、音楽再生装置１０の構成を示すブロック図である。この音楽再生装置１０は、主制御部１１と、データ読み出し部１２と、操作部１３と、表示部１４と、通信制御部１５と、ストリーミングデータバッファ１６と、音楽データ処理部１７と、アンプ１８と、スピーカー１９とにより構成されている。また、主制御部１１は、差分データ計算部１１ａ及び音楽データ合成部１１ｂを有している。
【００２７】
データ読み出し部１２には音楽データを記録した記録媒体２０が装着される。このデータ読み出し部１２は、主制御部１１からの信号に応じて、記録媒体２０から音楽データの読み出しを行う。操作部１３には、当該音楽再生装置１０を操作するための種々のボタン（キースイッチ）等が設けられている。表示部１４は液晶パネル等により構成されている。この表示部１４には、主制御部１１によって、再生可能な楽曲のリストや、再生中の楽曲の曲名、アーティスト名、アルバム名及び演奏時間等の情報が表示される。
【００２８】
差分データ計算部１１ａは、データ読み出し部１２によって記録媒体２０から読み出された音楽データから、不足分のデータ量を計算する。そして、記録媒体２０から読み出された音楽データを音楽データ合成部１１ｂに伝達するとともに、不足分の音楽データの要求を示す不足データ要求信号を通信制御部１５に出力する。
【００２９】
通信制御部１５は、主制御部１１（差分データ計算部１１ａ）から不足データ要求信号を入力すると、携帯電話４１を介して不足データ要求信号をサーバー３０に送信する。また、サーバー３０から不足分の音楽データが送られてくると、それらの音楽データをストリーミングデータバッファ１６に一時的に保存する。なお、本実施形態では、通信制御部１５にユーザ（又は音楽再生装置１０）に固有のＩＤコード及びパスワードが記憶されており、サーバー３０にアクセスするときにはこのＩＤコード及びパスワードを使ってログインする。
【００３０】
音楽データ合成部１１ｂは、差分データ計算部１１ａから送られてきた音楽データにデータの不足がある場合はストリーミングデータバッファ１４から不足分の音楽データを読み出し、欠落のない完全な音楽データを合成する。音楽データ処理部１７は、音楽データ合成部１１ｂから出力される音楽データを信号処理（伸張処理及びデジタル／アナログ変換処理等）してオーディオ信号を生成する。アンプ１８は音楽データ処理部１７から出力されるオーディオ信号を増幅してスピーカー１９に供給する。
【００３１】
図３はサーバー３０の構成を示すブロック図である。サーバー３０は、主制御部３１、データ書き込み部３２、操作部３３、表示部３４、通信制御部３５、分割パターン管理部３６及び音楽データベース３８により構成されている。また、主制御部３１は、データベース管理部３１ａ及びデータ分割部３１ｂを有している。
【００３２】
データ書き込み部３２は、主制御部３１からの信号に応じて記録媒体２０に対し音楽データの書き込みを行う。操作部３３には、当該サーバー３０を操作するための種々のボタン（キースイッチ）等が設けられている。表示部３４は液晶パネル等により構成されている。この表示部３４には、主制御部３１によって、操作状況に応じた種々の情報が表示される。
【００３３】
データベース管理部３１ａは、操作部３３からの信号又は通信制御部３５からの信号に応じて音楽データベース３８を制御し、音楽データを読み出す。分割パターン管理部３６には、音楽データを分割する際に参照される分割パターンが記憶されている。データ分割部３１ｂは、データベース管理部３１ａを介して音楽データ及び分割パターンを入力し、分割パターンに応じて音楽データを分割する。通信制御部３５は、インターネットを介して送受信する信号の制御を行う。なお、通信制御部３５には予めログインを許可するユーザ（又は音楽再生装置１０）のＩＤコード及びパスワードが登録されている。そして、通信制御部３５は、インターネットを介して接続要求してきた外部機器（音楽再生装置１０）に対しＩＤコード及びパスワードを要求し、外部機器から送られてきたＩＤコード及びパスワードが予め登録されているＩＤコード及びパスワードと一致したときのみログインを許可する。
【００３４】
以下、記録媒体２０に音楽データを書き込むときの動作について説明する。
【００３５】
まず、ユーザは、記録媒体２０をサーバー３０のデータ書き込み部３８に装着する。そして、操作部３３から所望の音楽データの書き込みを指示する。これにより、主制御部３１はデータベース管理部３４ａを介して音楽データベース３８から音楽データを読み出すとともに、分割パターン管理部３６から分割パターンを読み出す。そして、この分割パターンに応じて、データ分割部３１ｂは１曲分の音楽データを分割し、一部の音楽データのみをデータ書き込み部３２によって記憶媒体２０に書き込む。分割パターンの例を図４の模式図に示す。
【００３６】
本実施形態では、図４の分割パターンの例に示すように、１曲分の音楽データを１０秒毎のデータ（ユニット）に分割する。そして、最初の６０秒間（６ユニット）分の音楽データについては１００％から１０秒毎（１ユニット毎）に記録媒体２０に記録するデータ量を１６％づつ段階的に削減し、６０秒後以降の音楽データについては一律に２０％分のみを記録媒体２０に記録する。記録媒体２０に記録する分の音楽データをファイル領域と呼び、それ以外の音楽データをストリーミング領域と呼ぶ。記録媒体２０に書き込む１ユニット毎の音楽データには、１ユニット全体のデータ量（ストリーミング領域とファイル領域との合計のデータ量）が付加データとして付加される。
【００３７】
例えば、演奏時間が５分、データ量が５ＭＢの１曲分の音楽データを記録媒体２０に書き込むとする。初めの６０秒間分の音楽データのデータ量は、０．６ＭＢ（＝１（ＭＢ）−（１＋２＋３＋４＋５）×０．１６）×１（ＭＢ）／６）となる。６０秒後以降の音楽データについては２０％（１分間当たり０．２ＭＢ）のデータのみを記録するので、付加データを無視すると、１曲分のデータ量は１．４ＭＢ（＝０．６（ＭＢ）＋０．２（ＭＢ）×４）となる。従って、記録容量が３２ＭＢの記録媒体には２２曲分の音楽データを収録することができ、記憶容量が６４ＭＢの記録媒体には４５曲分の音楽データを収録することができる。すなわち、従来に比べて、記録媒体に記録できる曲数が約３．６倍以上増加する。
【００３８】
以下、記録媒体２０に記録された音楽を再生するときの動作について、図５に示すフローチャートを参照して説明する。
【００３９】
まず、ステップＳ１１において、音楽データを書き込んだ記録媒体２０を音楽再生装置１０のデータ読み出し部１２に装着して所定の操作を行うと、主制御部１１はデータ読み出し部１２を制御して記録媒体２０から収録曲の曲名を読み出し、表示部１４に収録曲のリストを表示する。ユーザが操作部１３を操作して所望の楽曲を指定すると、ステップＳ１２に移行する。
【００４０】
ステップＳ１２において、主制御部１１は通信制御部１５にサーバー３０との通信接続を指示する。これにより、通信制御部１５はサーバー３０に通信接続を開始する。サーバー３０は、ステップＳ２１において音楽再生装置１０と通信接続すると、ＩＤコード及びパスワードを要求する。これにより、通信制御部１５は予め記憶しているＩＤコード及びパスワードを送信する。サーバー３０は、音楽再生装置１０から送られてきたＩＤコード及びパスワードが予め登録されているＩＤコード及びパスワードと一致した場合は、ログインを許可する。
【００４１】
なお、サーバー３０は、音楽再生装置１０から送られてきたＩＤコード及びパスワードが予め登録されていない場合はログインを許可しない。従って、この場合は音楽再生装置１０はサーバー３０から音楽データを取得することができないため、音楽を再生することができない。ここでは、音楽再生装置１０から送られてきたＩＤコード及びパスワードが予めサーバー３０の通信制御部３５に登録されており、サーバー３０によりログインが許可されたものとする。
【００４２】
音楽再生装置１０の主制御部１１は、ステップＳ１２で通信制御部１５にサーバー３０との通信接続を指示した後、直ぐにステップＳ１３に移行して、記録媒体２０から指定された楽曲の音楽データを読み出す。
【００４３】
記録媒体２０から最初の１ユニット分（１０秒分）の音楽データが読み出されると、ステップＳ１４に移行して、主制御部１１はデータの不足がないかを判定する。すなわち、差分データ計算部１１ａは、音楽データに付加されている付加データと、記録媒体２０から実際に読み出した１ユニット分の音楽データのデータ量とから、データの不足分（差分）を計算する。最初の１ユニット分の音楽データには不足のデータがないので、ステップＳ１４からステップＳ１８に移行する。
【００４４】
ステップＳ１８では、主制御部１１から音楽データ処理部１７に１ユニット分の音楽データが出力される。そして、音楽データ処理部１７により音楽データが信号処理されて、オーディオ信号が生成される。アンプ１８は、音楽データ処理部１７から出力されたオーディオ信号を増幅してスピーカー１９に供給する。このようにして、最初の１０秒間分の音楽の再生が開始される。
【００４５】
一方、主制御部１１は、音楽データ処理部１７に１ユニット分の音楽データを出力すると、直ぐにステップＳ１９に移行して、１曲分の全音楽データの読み出しが完了したか否かを判定する。ここでは、最初の１ユニット分のデータしか読み出していないので、ステップＳ１９からステップＳ１３に戻る。
【００４６】
ステップＳ１３では、次の１ユニット分の音楽データを記録媒体２０から読み出す。そして、ステップＳ１４において、記録媒体２０から読み出した音楽データに付加されている付加データ（１ユニット全体のデータ量）と実際に記録媒体２０から読み出した１ユニット分の音楽データのデータ量とを比較して、音楽データが不足しているか否かを判定する。２番目以降のユニットは、いずれも音楽データが不足しているので、ここではステップＳ１５に移行する。
【００４７】
ステップＳ１５では、主制御部１１により不足データ要求信号が出力される。この不足データ要求信号は、通信制御部１５を介してサーバー３０に送信される。不足データ要求信号には、どの楽曲かを示すデータと、楽曲のどの部分（何番目のユニット）を要求しているのかを示すデータとが含まれている。
【００４８】
サーバー３０は、ステップＳ２２において不足データ要求信号を受信すると、ステップＳ２３に移行する。そして、ステップＳ２３において音楽データベース３８から該当する音楽データを読み出し、その後ステップＳ２４に移行し分割パターン管理部３６に設定されている分割パターンに基づいて音楽データを分割し、要求されたユニットの不足分の音楽データ（すなわち、ストリーミング領域の音楽データ）を抽出する。次いで、ステップＳ２５に移行し、不足分の音楽データを音楽再生装置１０に送信する。
【００４９】
音楽データ再生装置１０は、ステップＳ１６においてサーバー３０から不足分の音楽データを受信すると、その不足分の音楽データをストリーミングデータバッファ１６に一時的に保存する。その後、ステップＳ１７に移行し、音楽データ合成部１１ｂにより、記録媒体２０から読み出された音楽データと、ストリーミングデータバッファ１６に保存されている不足分の音楽データとが合成され、欠落のない音楽データが音楽データ処理部１７に出力される。
【００５０】
音楽データ処理部１７は、ステップＳ１８において、１ユニット分の音楽データの信号処理が終了すると、続けて音楽データ合成部１１ｂから次のユニットの音楽データを入力し、信号処理してオーディオ信号を生成する。音楽データ処理部１７から出力されるオーディオ信号は、アンプ１８により増幅されてスピーカー１９に供給される
一方、主制御部３１は、１ユニット分の音楽データを音楽データ処理部１７に出力すると、直ぐにステップＳ１９に移行して、１曲分の全音楽データの読み出しが完了したか否かを判定する。そして、完了していないと判定した場合はステップＳ１３に戻って、上述した処理を繰り返し、１曲分の全音楽データの読み出しが完了したと判定した場合は処理を終了する。
【００５１】
本実施形態においては、記録媒体２０に音楽データの一部分しか書き込まないので、容量が小さい記録媒体であっても多数の楽曲を収録することができる。この場合に、最初の１０秒間分の音楽データについてはデータの不足がないので、ユーザが音楽の再生を指示すると直ぐに音楽の再生が開始される。そして、最初の１０秒が経過するまでの間にサーバー３０との通信を確立し、次の１０秒間に使用する音楽データの不足分をサーバー３０から取得する。その後、ステップＳ１９において、１曲分の全音楽データの読み出しが完了したか否かを判定する。否の場合はステップＳ１３に戻り、１曲分の音楽データの読み出しが完了したと判定した場合は、音楽データの読み出しを終了する。このようにして、本実施形態の音楽再生装置１０では、途中で途切れることなく音楽を再生することができる。
【００５２】
また、仮に記録媒体２０に記録された音楽データを他の記録媒体にコピーしても、ＩＤコード及びパスワードが予めサーバー３０に登録されていなければサーバー３０にログインすることができないので、音楽データの不正な使用が防止される。
【００５３】
なお、上記の例では１つの楽曲だけを再生する場合について説明したが、複数の楽曲を連続して再生する場合は、上記の処理が連続して行われる。但し、２番目以降の楽曲を再生するときには、ＩＤコード及びパスワードの送信処理は省略される。
【００５４】
また、本実施形態では、図４に示す分割パターンを使用した場合について説明したが、分割パターンはＩＤコード及びパスワードの認証に要する時間や通信速度等に応じて設定することが好ましく、図４に示す分割パターンに限定されるものではない。但し、再生ボタンを押すと直ぐに再生が開始されるようにするためには、少なくとも最初の１０秒間程度の音楽データは、欠落のない状態で記録媒体２０に記録することが好ましい。
【００５５】
更に、本実施形態ではサーバー３０でストリーミング領域の音楽データを抽出して音楽再生装置１０に不足分の音楽データのみを送信するものとしたが、ユニット毎に分割した音楽データをそのまま音楽再生装置１０に送信し、音楽再生装置１０内で不足分の音楽データを抽出するようにしてもよい。
【００５６】
（第２の実施形態）
図６は本発明の第２の実施形態に係るＡＶ再生システム（音楽再生システム）のサーバーの構成を示すブロック図である。この図６において、図３と同一物には同一符号を付して、その詳しい説明は省略する。また、本実施形態においても、システム及び音楽再生装置の基本的な構成は第１の実施形態と同様であるので、図１のシステム構成を示すブロック図、及び図２の音楽再生装置の構成を示すブロック図を参照して説明する。
【００５７】
本実施形態では、分割パターン管理部３７が、分割パターン発生部３７ａと分割パターン記憶部３７ｂとにより構成されている。分割パターン発生部３７は、記録媒体２０に音楽データを書き込むときに、１ユニット毎のファイル領域とストリーミング領域との割合を決める分割パターンを発生する。分割パターン記憶部３７ｂは、分割パターン発生部３７ａで発生した分割パターンを、その分割パターンを適用した楽曲と関連付けて記憶する。
【００５８】
図７は、分割パターン発生部３７ａで発生する分割パターンの一例を示す模式図である。この図７を参照して、記録媒体２０に音楽データを記録するときの動作について説明する。
【００５９】
本実施形態においても、第１の実施形態と同様に、１曲分の音楽データを１０秒毎のユニットに分割する。そして、最初の６０秒（６ユニット）までの音楽データは、記録媒体２０に記憶するファイル領域の割合を１００％から１０秒毎に１６％づつ順次削減する。
【００６０】
６０秒よりも後の音楽データについては、記録媒体２０に記録するファイル領域の割合を０から２０％の範囲でランダムに決定する。ここでは、図７に示す分割パターンでストリーミング領域とファイル領域との割合が決定されたものとする。サーバー３０のデータ分割部３１ｂは、分割パターンに応じて音楽データをユニット毎にファイル領域とストリーミング領域とに分割し、データ書き込み部３２を介してファイル領域の音楽データのみを記録媒体２０に記録する。
【００６１】
以下、記録媒体２０に記録された音楽を再生するときの動作について、図８，図９に示すフローチャートを参照して説明する。
【００６２】
まず、ステップＳ３１において、音楽データを書き込んだ記録媒体２０を音楽再生装置１０のデータ読み出し部１２に装着して所定の操作を行うと、主制御部１１はデータ読み出し部１２を制御して記録媒体２０から収録曲の曲名を読み出し、表示部１４に収録曲のリストを表示する。ユーザが操作部１３を操作して所望の楽曲を指定すると、ステップＳ３２に移行する。
【００６３】
ステップＳ３２において、主制御部１１は通信制御部１５にサーバー３０との通信接続を指示する。これにより、通信制御部１５はサーバー３０に通信接続を開始する。サーバー３０は、ステップＳ５１において音楽再生装置１０と通信接続するとＩＤコード及びパスワードを要求する。これにより、通信制御部１５は予め記憶しているＩＤコード及びパスワードを送信する。サーバー３０の通信制御部３５は、音楽再生装置１０から送られてきたＩＤコード及びパスワードが予め登録されているＩＤコード及びパスワードと一致する場合は、ログインを許可する。
【００６４】
音楽再生装置１０の主制御部１１は、ステップＳ３２で通信制御部１５にサーバー３０との通信接続を指示した後、直ぐにステップＳ３３に移行して、記録媒体２０から指定された楽曲の音楽データを読み出す。
【００６５】
記録媒体２０から最初の１ユニット分（１０秒分）の音楽データが読み出されると、ステップＳ３４に移行して、主制御部１１はデータの不足がないかを判定する。最初の１ユニット分の音楽データには不足のデータがないので、ステップＳ３４からステップＳ３９に移行する。
【００６６】
ステップＳ３９では、音楽データ処理部１７により音楽データが信号処理されて、オーディオ信号が生成される。一方、主制御部１１は、音楽データ処理部１７に１ユニット分の音楽データを出力すると、直ぐにステップＳ４０に移行して、１曲分の全音楽データの読み出しが完了したか否かを判定する。ここでは、最初の１ユニット分のデータしか読み出していないので、ステップＳ４０からステップＳ３３に戻る。
【００６７】
ステップＳ３３では、次のユニットの音楽データを記録媒体２０から読み出す。そして、ステップＳ３４において、記録媒体２０から読み出した音楽データに付加されている付加データ（１ユニット全体のデータ量）と実際に記録媒体２０から読み出した音楽データのデータ量とを比較して、音楽データが不足しているか否かを判定する。２番目以降のユニットは、いずれも音楽データが不足しているので、ここではステップＳ３５に移行する。
【００６８】
ステップＳ３５では、主制御部１１により不足データ要求信号と、不足分のデータ量とを示す信号とが出力される。これらの信号は、通信制御部１５を介してサーバー３０に送信される。なお、不足データ要求信号には、どの楽曲かを示すデータと、楽曲のどの部分（何番目のユニット）を要求しているのかを示すデータとが含まれる。また、不足分のデータ量は、付加データによりわかる１ユニット全体のデータ量（ファイル領域とストリーミング領域との合計のデータ量）から記録媒体２０に記録されている音楽データのデータ量（ファイル領域のデータ量）を減算した値である。
【００６９】
サーバー３０は、ステップＳ５２において不足データ要求信号を受信すると、ステップＳ５３に移行する。そして、分割パターン記憶部３７ｂに記憶している当該楽曲の分割パターンを参照し、要求された不足分のデータ量は分割パターンにより設定されるストリーミング領域のデータ量と一致しているか否かを判定する。一致していない場合は、当該サーバー３０で書き込まれた音楽データではないので、ステップＳ５４に移行して、音楽データ送信拒否信号を音楽再生装置１０に送信する。音楽再生装置１０では、ステップＳ３６においてサーバー３０から音楽データ送信拒否信号を受信すると、音楽の再生処理を終了する。
【００７０】
一方、ステップＳ５３において、要求された不足分のデータ量と分割パターンにより設定されるストリーミング領域のデータ量とが一致していると判定した場合は、ステップＳ５５に移行する。そして、音楽データベース３８から該当する音楽データを読み出し、その後ステップＳ５６に移行して当該楽曲の分割パターンに基づいて音楽データを分割し、要求されたユニットの不足分の音楽データを抽出する。次いで、ステップＳ５７に移行し、不足分の音楽データを音楽再生装置１０に送信する。
【００７１】
音楽データ再生装置１０は、ステップＳ３７においてサーバー３０から不足分の音楽データを受信すると、その不足分の音楽データをストリーミングデータバッファ１６に一時的に保存する。その後ステップＳ３８に移行し、音楽データ合成部１１ｂにより、記録媒体２０から読み出された音楽データと、ストリーミングデータバッファ１６に保存されている不足分の音楽データとが合成され、欠落のない音楽データが音楽データ処理部１７に出力される。
【００７２】
音楽データ処理部１７は、ステップＳ３９において、１ユニット分の音楽データの信号処理が終了すると、続けて音楽データ合成部１１ｂから次の１ユニット分の音楽データを入力し、信号処理してオーディオ信号を生成する。音楽データ処理部１７から出力されるオーディオ信号は、アンプ１８により増幅されてスピーカー１９に供給される。
【００７３】
一方、主制御部３１は、１ユニット分の音楽データを音楽データ処理部１７に出力すると、直ぐにステップＳ４０に移行して、１曲分の音楽データの読み出しが完了したか否かを判定する。そして、完了していないと判定した場合はステップＳ３３に戻って、上述した処理を繰り返し、１曲分の音楽データの読み出しが完了したと判定した場合は処理を終了する。
【００７４】
本実施形態においては、第１の実施形態よりも更に多くの楽曲の音楽データを記録することが可能である。また、本実施形態では、１ユニット毎に音楽再生装置１０から要求された不足分のデータ量と分割パターン記憶部３７ｂに記憶している分割パターンから計算されるストリーミング領域のデータ量とを比較して、記録媒体２０に記録されている音楽データが当該サーバー３０で書き込まれたものか否かを判定している。これにより、第１の実施形態に比べて音楽データの不正使用をより確実に防止することができるという効果が得られる。
【００７５】
例えば、演奏時間が５分、データ量が５ＭＢの１曲分の音楽データを記録媒体２０に書き込むとする。記録媒体２０に書き込む最初の６０秒間分の音楽データのデータ量は、第１の実施形態で説明したように０．６ＭＢとなる。６０秒後以降の音楽データについては、１ユニット（１０秒）毎に０から２０％の範囲で記録媒体２０に書き込むデータ量を決定するので、最小で０バイト、最大で３３３３３バイトとなる。つまり、記録媒体２０に記録する１曲分のデータ量は、最小で０．６ＭＢ、最大で１．４ＭＢとなり、記録容量が３２ＭＢの記録媒体に２２〜５３曲分の音楽データを記録することができる。また、記録容量が６４ＭＢの記録媒体に４５〜１０６曲分の音楽データを記録することができる。
【００７６】
また、６０秒後以降の１ユニットのデータ量は、０バイトから３３３３３バイト（＝５（ＭＢ）×（１０（秒）／３００（秒））×０．２）までの３３３３３通りである。６０秒から３００秒まで間のユニット数は２４であるので、分割パターンは３３３３３の２４乗の種類があることになる。従って、記録媒体２０に書き込まれている音楽データを他の記録媒体にコピーしたとしても、記録媒体２０に音楽データを書き込んだときの分割パターンを記憶したサーバー３０にログインできなければ音楽を再生することができないので、著作権を強固に保護することができる。
【００７７】
なお、上記の実施形態では音楽再生装置１０が携帯電話４２を使ってサーバー３０にアクセスするものとしたが、音楽再生装置１０とサーバー３０との通信接続の方法がこれに限定されるものではない。例えば、音楽再生装置１０とサーバー３０とは、無線ＬＡＮ、有線ＬＡＮ又は専用回線等により通信接続してもよい。
【００７８】
また、上記実施形態ではメモリースティックやＳＤメモリーカード等の着脱自在の記録媒体２０に音楽データを記録する場合について説明したが、音楽再生装置に内蔵のメモリーに音楽データを記録してもよい。
【００７９】
更に、上記実施の形態ではＡＶコンテンツが音楽の場合について説明したが、ＡＶコンテンツが映像の場合に適用できることは勿論である。この場合、映像データとしては、例えばＭＰＥＧ４等の方式で圧縮されたデータを使用する。
【００８０】
（その他の実施形態）
本発明は、音楽又は映像コンテンツの販売又はレンタルサービスに適用できる。例えば、メモリースティック及びＳＤメモリーカード等の記録媒体に、第１又は第２の実施形態で説明したように音楽（又は映像）データの一部のみを記録して客に渡す。このとき、同時にサーバーのアドレス、ＩＤコード及びパスワードも記録媒体に記録する。
【００８１】
客は、自分の所有する音楽（又は映像）再生装置に記録媒体を装着し、所定の操作を行う。そうすると、音楽（又は映像）再生装置は記録媒体から最初の１ユニット分の音楽（又は映像）データを読み出して、音楽（又は映像）の再生を開始するとともに、記録媒体からサーバーのアドレス、ＩＤコード及びパスワードを読み出して、サーバーに接続する。そして、サーバーから不足分の音楽（又は映像）データを取得する。その後、記録媒体から読み出した音楽（又は映像）データと、サーバーから取得した不足分の音楽（又は映像）データとを合成して欠落のない完全な音楽（又は映像）データとし、音楽（又は映像）の再生を継続する。
【００８２】
音楽又は映像コンテンツをレンタルする場合、レンタル期限が過ぎたら、サーバーにてＩＤコード及びパスワードを無効とする。これにより、レンタル期限が終了した後は音楽又は映像を再生することができなくなる。
【００８３】
本発明を音楽又は映像コンテンツのレンタルに適用した場合、レンタル期限を過ぎるとコンテンツが利用できなくなるので、既存のＣＤレンタル等のサービスと異なり、返却期限を過ぎて遅延料金を請求されることがなくなるという利点を有する。また、レンタル店ではコンテンツの管理が極めて容易になるとともに、客がＣＤを破損又は紛失するというおそれがなくなる。更に、ＣＤレンタルの場合は客がレンタルしたＣＤを不正にコピーすることが考えられるが、本発明を適用した音楽又は映像コンテンツのレンタルではコンテンツの不正コピーが防止できる。
【図面の簡単な説明】
【００８４】
【図１】図１は、本発明の第１の実施形態に係るＡＶ再生システムを示す模式図である。
【図２】図２は、第１の実施形態の音楽再生装置の構成を示すブロック図である。
【図３】図３は、第１の実施形態のサーバーの構成を示すブロック図である。
【図４】図４は、第１の実施形態で使用する分割パターンの例を示す模式図である。
【図５】図５は、第１の実施形態における音楽再生時の動作を示すフローチャートである。
【図６】図６は、本発明の第２の実施形態のサーバーの構成を示すブロック図である。
【図７】図７は、第２の実施形態で使用する分割パターンの例を示す模式図である。
【図８】図８は、第２の実施形態における音楽再生時の動作を示すフローチャート（その１）である。
【図９】図９は、第２の実施形態における音楽再生時の動作を示すフローチャート（その２）である。
【符号の説明】
【００８５】
１０…音楽再生装置、
１１，３１…主制御部、
１１ａ…差分データ計算部、
１１ｂ…音楽データ合成部、
１２…データ読み出し部、
１３，３３…操作部、
１４，３４…表示部、
１５，３５…通信制御部、
１６…ストリーミングデータバッファ、
１７…音楽データ処理部、
１８…アンプ、
１９…スピーカー、
２０…記録媒体、
３０…サーバー、
３１ａ…データベース管理部、
３１ｂ…データ分割部、
３２…データ書き込み部、
３６，３７…分割パターン管理部、
３７ａ…分割パターン発生部、
３７ｂ…分割パターン記憶部、
３８…音楽データベース、
４１…携帯電話。
【図１】
2005064777.tif 000003
【図２】
2005064777.tif 000004
【図３】
2005064777.tif 000005
【図４】
2005064777.tif 000006
【図５】
2005064777.tif 000007
【図６】
2005064777.tif 000008
【図７】
2005064777.tif 000009
【図８】
2005064777.tif 000010
【図９】
2005064777.tif 000011